(57)【特許請求の範囲】
【請求項１】
引戸縦枠の近傍において引戸鴨居および／または敷居の適宜位置で引戸開閉方向に対向させて配設されている、戸板方向に移動可能な戸板制動部材、および該戸板制動部材を戸板方向に駆動する戸板の移動方向に移動可能な駆動部材を有する一対の制動部を備え、
前記制動部が直角三角柱を組合せた直方体からなり、かつその長辺を戸板側面に向けて引戸鴨居および／または敷居の適宜位置に配設され、
前記直角三角柱のうち戸板に面している直角三角柱が戸板制動部材とされ、かつ他方の直角三角柱が駆動部材とされ、
前記戸板制動部材を構成している直角三角柱が、その短辺を引戸縦枠に向けて配設され、かつその短辺に沿った長孔を有し、
前記長孔の戸板側に戸板制動部材の戸板移動方向の移動を規制するための固定軸が挿通され、かつ該長孔の前記固定軸と駆動部材側内面との間に戸板制動部材を駆動部材側に付勢するバネ部材が配設され、
前記駆動部材の先端間に弾性を有する線状部材が張設され、
戸板の閉動作により同戸板の端部が前記線状部材に当接することにより、前記駆動部材が引戸縦枠方向に移動させられ、それにより戸板制動部材が戸板側面方向に押し出されて戸板側面に当接し、戸板にブレーキが掛けられる
ことを特徴とする扉の戸当り緩衝装置。
【発明の詳細な説明】
【０００１】
【発明の属する技術分野】
本発明は扉の戸当たり緩衝装置に関する。さらに詳しくは、引戸または引違い戸等、戸板が横方向にスライド自在に設けられている扉に用いる戸当たり緩衝装置に関する。
【０００２】
【従来の技術】
住宅等における室内空間の間仕切りに使用される引戸や引違い戸等（以下、単に引戸という）の扉は、通常、図８に示すように、戸板ａの下面に設けられた戸車ｂが、引戸の敷居ｃに設けられたスライド溝ｄ上を転動して、横方向（左右方向）に開閉可能とされている。
【０００３】
また、図示しないが、上づり式の引戸の場合には、前記戸板が天井等に組み込まれた吊下げレールにより吊下げられるが、この場合も、戸車が吊下げレール上に設けられたスライド溝上を転動することによって、戸板は横方向に開閉可能とされている。
【０００４】
そのため、戸板ａのスムーズな開閉を実現するには、この戸車ｂの転動を円滑に行わせる必要があり、戸車ｂの材質・構造等について種々の改良がなされてきた。その結果、今日では、わずかな力で戸板ａの開閉をスムーズに行わせることができるに至った。
【０００５】
しかしながら、この戸車ｂの性能の向上によって、今度は、戸板ａを勢いよく閉めた場合、戸板ａが引戸縦枠ｅに勢い良く衝突するようになり、戸板ａを閉めた時に大きな衝突音が発生したり、あるいは、衝突による反動で戸板ａが跳ね返り、扉が完全に閉まらないという問題、あるいは衝突のために枠材や戸板ａが変形したり損傷したりするという問題を生じるようになった。とりわけ、ガラス入りの引戸の場合には、ガラスが割れ、その割れたガラスにより怪我をするおそれもある。
【０００６】
また、ちょっとしたはずみで扉が勢い良く閉まることから、不用意に扉を閉めると、戸板ａと縦枠ｅとの間に指等を挟み怪我をし易くなるに至った。
【０００７】
このため、前記のような不都合を解消し得る扉の戸当たり緩衝装置の開発が望まれているが、装置の製造や取付けにかかる手間やコストの面で、今のところ、一般家庭で使用できるような簡易かつ安価な扉の戸当たり緩衝装置は提供されていない。
【０００８】
【発明が解決しようとする課題】
本発明はかかる従来技術の課題に鑑みなされたものであって、構造が簡単で簡易に取付けでき、しかも、戸当たりによる前記諸問題が解消されてなる扉の戸当たり緩衝装置を提供することを目的とする。
【０００９】
【課題を解決するための手段】
本発明の扉の戸当り緩衝装置は、引戸縦枠の近傍において引戸鴨居および／または敷居の適宜位置で引戸開閉方向に対向させて配設されている、戸板方向に移動可能な戸板制動部材、および該戸板制動部材を戸板方向に駆動する戸板の移動方向に移動可能な駆動部材を有する一対の制動部を備え、
前記制動部が直角三角柱を組合せた直方体からなり、かつその長辺を戸板側面に向けて引戸鴨居および／または敷居の適宜位置に配設され、
前記直角三角柱のうち戸板に面している直角三角柱が戸板制動部材とされ、かつ他方の直角三角柱が駆動部材とされ、
前記戸板制動部材を構成している直角三角柱が、その短辺を引戸縦枠に向けて配設され、かつその短辺に沿った長孔を有し、
前記長孔の戸板側に戸板制動部材の戸板移動方向の移動を規制するための固定軸が挿通され、かつ該長孔の前記固定軸と駆動部材側内面との間に戸板制動部材を駆動部材側に付勢するバネ部材が配設され、
前記駆動部材の先端間に弾性を有する線状部材が張設され、
戸板の閉動作により同戸板の端部が前記線状部材に当接することにより、前記駆動部材が引戸縦枠方向に移動させられ、それにより戸板制動部材が戸板側面方向に押し出されて戸板側面に当接し、戸板にブレーキが掛けられる
ことを特徴とする。
【００１２】
【作用】
本発明の扉の戸当たり緩衝装置は、前記のごとく構成されているので、戸板を閉める際に引戸縦枠の近傍で戸板を減速させ、戸当たり時の戸板と縦枠との衝突時における衝撃を和らげることができる。すなわち、戸板が縦枠近傍に達すると戸板の進行方向の両側に設けられている制動部の戸板制動部材によりブレーキが掛けられ、そのため戸板が縦枠近傍で減速し、戸当たり時の戸板と縦枠との衝突による衝撃を和らげることができる。
【００１３】
このように、本発明の扉の戸当たり緩衝装置を用いた場合、戸板が縦枠へ衝突した際の衝撃が和らげられ、戸当たりによる発生音や戸板の跳ね返りなどが解消される。
【００１４】
【発明の実施の形態】
以下、添付図面を参照しながら本発明を実施の形態に基づいて説明するが、本発明はかかる実施の形態のみに限定されるものではない。
【００１５】
本発明にかかわる扉の戸当たり緩衝装置（以下単に戸当たり緩衝装置という）を図１〜図３に示し、この戸当たり緩衝装置１は、この実施の形態では引戸本体（戸板）２を閉める際の戸当たりによる衝撃を緩和するためのものとされ、図２に示すように、戸枠３の鴨居４および敷居５の縦枠６近傍に埋め込まれている（図２において丸で囲んだ部分参照）。
【００１６】
この戸当たり緩衝装置１は、例えば、鴨居４および敷居５の適宜位置に戸板２を挾んで設けられている右側制動部１０と左側制動部２０とからなり、両制動部１０，２０の協働により縦枠６近傍で戸板２を減速させて衝撃を緩和するものである。
【００１７】
この右側制動部１０は、ほぼ同一形状とされている直角三角柱Ｔ，Ｔを組合せて直方体状とされ、そしてその長辺を引戸２の開閉方向（図２の矢符参照）に一致させかつ溝７側面と面一として、前述したように鴨居４および敷居５の縦枠６近傍に埋設されている。この場合、戸板２に面している部材が戸板制動部材１２とされ、他方の部材がこの戸板制動部材１２を戸板２の側面に向けて押し付ける作用なす駆動部材１４とされるとともに、その組合せにおいては駆動部材１４の先端１４ａが縦枠６方向に向くようにされている。
【００１８】
また、この戸板制動部材１２には、図１で示すように、縦枠６に面している面近傍に概略長方形状の透孔１３が設けられている。この透孔１３には戸板制動部材１２の戸板２開閉方向の移動を規制するハブ軸（固定軸）１６が透孔１３の戸板側内壁１３ａに接触させて挿通されるとともに、このハブ軸１６と透孔１３の反対側の内壁１３ｂとにより形成される空間にはコイルバネ１８が内蔵されている。このコイルバネ１８により戸板制動部材１２が駆動部材１４側に付勢され、常態において戸板制動部材１２の戸板２に面している面（以下、制動面という）１２ａが溝７内面と面一とされる。
【００１９】
左側制動部２０は右側制動部１０と左右対称とされている他は、右側制動部１０の構成と同様とされている。そこで、左側制動部２０の各要素については右側制動部１０の各要素に対応させた符号が付されている。例えば、戸板制動部材は２２と符号が付され、駆動部材は２４と符号が付されている。
【００２０】
そして、右側制動部１０の駆動部材１４の先端部１４ａ中央と左側制動部２０の駆動部材２４の先端部２４ａ中央との間にスプリングワイヤ３０が張設されている。
【００２１】
次に、図４〜図７を参照しながら、かかる構成とされている戸当り緩衝装置１の動作について、戸を閉める場合を例に採り説明する。
【００２２】
（１）戸が閉められ、すなわち戸板２が図中の矢符方向に移動されて、戸板２の前端部２ａが右側制動部１０と左側制動部２０との間に進入する（図４参照）。
【００２３】
（２）戸板２は進入を続け、戸板２の前端部２ａがスプリングワイヤ３０に当接する。
【００２４】
（３）戸板２の前端部２ａがスプリングワイヤ３０に当接した後も戸板２はなおも進入を続けるので、スプリングワイヤ３０に連結されている右側制動部１０および左側制動部２０の各駆動部材１４，２４が縦枠６の方へ引き出される（図５参照）。
【００２５】
（４）駆動部材１４，２４は、図示のごとく、先細のテーパ状、あるいは楔状とされているので、引き出されるにつれて戸板制動部材１２，２２を、それに内蔵されているコイルバネ１８，２８の付勢力に抗して戸板２側に押し出す（図６参照）。
【００２６】
（５）駆動部材１４，２４がなおも引き出されると、戸板制動部材１２，２２の制動面１２ａ，２２ａは最終的に戸板２側面に当接する（図７参照）。つまり、戸板２は両戸板制動部材１２，２２により挾持される。このため、戸板２はブレーキが掛けられることになり、戸板２が減速し、戸板２がゆるやかに縦枠６と衝突する。すなわち、戸が静かに閉められることになる。
【００２７】
なお、戸が開けられて戸板２の前端部２ａが後退させられると、スプリングワイヤ３０の復元力が駆動部材１４，２４に作用するとともに、戸板制動部材１２，２２に内蔵されているコイルバネ１８，２８の付勢力も駆動部材１４，２４に作用するので、駆動部材１４，２４は初期位置に後退し、それにつれて戸板制動部材１２，２２も初期位置に復帰する。
【００２８】
このように、この実施の形態によれば、戸板２は縦枠６近傍でブレーキが掛けられるので、戸板２を勢いよく閉めた場合でも、戸が静かに閉まることになる。そのため、戸を閉めた時に大きな衝突音が発生したり、あるいは、衝突による反動で戸板２が跳ね返り、戸が完全に閉まらないという問題、あるいは衝突のために枠材や戸板２が変形したり損傷したりするという問題が解消される。また、ガラス入りの引戸の場合においてもガラスの割れがなくなるため、割れたガラスにより怪我をするおそれもなくなる。さらに、勢いよく閉めた場合でも戸は最終的にはゆっくりと閉まるので、不用意に閉めても戸板２と縦枠６との間に指等を挟み怪我をするということもない。
【００２９】
【発明の効果】
以上詳述したように、本発明の戸当り緩衝装置によれば、次のような種々の効果が得られる。
【００３０】
（１）戸を閉めたときに、戸板が引戸縦枠の近傍でブレーキが掛けられ、衝突速度が低下させられているので、戸当りによる発生音を低減できるとともに、衝突による反動がなくなる。
【００３１】
（２）ガラス入りの引戸の場合においてもガラスの割れがなくなるため、割れたガラスにより怪我をするおそれもなくなる
【００３２】
（３）不用意に戸を閉めた場合にも、戸当り直前の戸板の開閉速度が低下しているので、戸板と縦枠との間に指等を挟み怪我をするということもない。
【００３３】
（４）構造が簡単で取付けも容易であるため、装置の製造や取付けに要する手間が少なく、かつ低コストとなるところから、一般住宅用にも手軽に適用できる。
【図面の簡単な説明】
【図１】本発明の扉の戸当り緩衝装置の一実施の形態の斜視図であって、駆動部材が引き出された状態を示す。
【図２】同装置の取付け個所を示す説明図である。
【図３】図１のIII-III線断面図である。
【図４】同装置の動作説明図であって、戸板が右側制動部および左側制動部の間に進入した状態を示す。
【図５】同装置の動作説明図であって、戸板が両駆動部材を引き出した状態を示す。
【図６】同装置の動作説明図であって、戸板が両駆動部材をさらに引き出した状態を示す。
【図７】同装置の動作説明図であって、戸板が両戸板制動部材に挾持されてブレーキが掛けられた状態を示す。
【図８】従来の引戸構造を示す断面説明図である。
【符号の説明】
１        扉の戸当り緩衝装置
２        戸板
３        戸枠
４        鴨居
５        敷居
６        縦枠
１０        右側制動部
１２        戸板制動部材
１３        透孔
１４        駆動部材
１６        ハブ軸（固定軸）
１８        コイルバネ
２０        左側制動部
２２        戸板制動部材
２３        透孔
２４        駆動部材
２６        ハブ軸（固定軸）
２８        コイルバネ
３０        スプリングワイヤ
【図１】
0003764983.tif 000002
【図２】
0003764983.tif 000003
【図３】
0003764983.tif 000004
【図４】
0003764983.tif 000005
【図５】
0003764983.tif 000006
【図６】
0003764983.tif 000007
【図７】
0003764983.tif 000008
【図８】
0003764983.tif 000009